(57)【要約】【課題】１チューナであっても選局（シーク）動作時にスピーカーから出力されるオーディオ信号が途切れることがない「ラジオ受信機」を提供する。【解決手段】無音検出部２３は、Ａ／Ｄ変換部２２から出力されるオーディオ信号を監視する。無音検出部２３でオーディオ信号の無音部を検出すると、無音延長部２４で予め設定された時間だけ無音部が延長される。メモリ２５には無音延長部２４を介して入力されたオーディオ信号が書き込まれる一方、メモリ２５からオーディオ信号が書き込まれたときの順番で読み出される。その結果、メモリ２５には、延長された無音部の時間分だけオーディオ信号が蓄積されていく。選局動作時には、メモリ２５に蓄積されているオーディオ信号を出力しつつ、次の放送局が見つかるまでシークを行う。【選択図】図１
2005318082.tif 000002
【特許請求の範囲】
【請求項１】
ラジオ放送を受信する受信部と、
前記受信部から出力されるオーディオ信号を監視して無音部を検出する無音検出部と、
前記無音検出部で無音部を検出すると予め設定された時間だけ無音部を延長する無音延長部と、
前記無音延長部を介して入力されたオーディオ信号が書き込まれるとともに、書き込まれた順番で前記オーディオ信号が読み出されるメモリと、
前記受信部及び前記メモリを制御する制御部と
を有することを特徴とするラジオ受信機。
【請求項２】
前記制御部は、前記受信部で選局動作を行っている間、前記メモリへのオーディオ信号の書き込みを中止し、前記メモリに蓄積されているオーディオ信号の読み出しを行うことを特徴とする請求項１に記載のラジオ受信機。
【請求項３】
前記制御部は、選局動作が終了すると、前記メモリに蓄積されているオーディオ信号をクリアすることを特徴とする請求項２に記載のラジオ受信機。
【請求項４】
前記無音延長部は、前記メモリに一定時間分のオーディオ信号が蓄積されると、前記無音部を延長する処理を中止することを特徴とする請求項１に記載のラジオ受信機。
【発明の詳細な説明】
【技術分野】
【０００１】
本発明は、シーク時にスピーカーから出力されるオーディオ信号が途切れないようにしたラジオ受信機に関する。
【背景技術】
【０００２】
近年のラジオ受信機は、電子同調式のチューナが設けられたものが一般的である。この種の電子同調式チューナを備えたラジオ受信機では、選局時にユーザがシークボタン（シークアップボタン又はシークダウンボタン）を押すと、受信周波数を自動的に所定の周波数づつ増加又は減少させて、放送局からの放送信号を検出する。
【０００３】
ところで、電子同調式のチューナが設けられたラジオ受信機において、シークアップ又はシークダウンしているときにはチューナから雑音（局間ノイズ）が出力される。このため、一般的なラジオ受信機ではシーク時にミュート（無音）処理を行って、スピーカーから雑音が出力されることを防止している。
【特許文献１】特開平８−１６２８９１号公報
【特許文献２】特開平９−５５６４２号公報
【発明の開示】
【発明が解決しようとする課題】
【０００４】
上述のラジオ受信機において、シークしている間は音声信号がミュートされるので、無音の状態となる。シークに要する時間は数秒であるが、この間はスピーカーから出力されるオーディオ信号が途切れてしまうので、ユーザに動作が遅いと感じさせてしまうという問題点がある。これを防止するために、２つのチューナを使用して、一方のチューナで現在の放送の受信を継続しつつ、他方のチューナでシークを行って放送電波が受信されたときに、出力を切替えるラジオ受信機が開発され、実用化されている。しかしながら、２つのチューナを内蔵するラジオ受信機では、製品コストが高くなってしまう。
【０００５】
特開平８−１６２９８１号公報には、チューナ等から出力されたアナログオーディオ信号をデジタルオーディオ信号に変換してリングメモリに一時的に記憶する放送音声再生装置が記載されている。しかし、この放送音声再生装置では、リングメモリに蓄積された範囲内であれば聞き逃した部分を再度聞くことができるものの、上述した問題点を解決するものではない。
【０００６】
特開平９−５５６４２号公報には、番組の受信中に無音状態を検出するとプリセットされた周波数の変更処理を自動的に実行して、受信状態のよい放送局をプリセットメモリに記憶するラジオ受信機が開示されている。しかし、このラジオ受信機も、上記した問題点を解決するものではない。
【０００７】
以上から、本発明は、１チューナであっても選局（シーク）動作時にスピーカーから出力されるオーディオ信号が途切れることがないラジオ受信機を提供することである。
【課題を解決するための手段】
【０００８】
上記した課題は、ラジオ放送を受信する受信部と、前記受信部から出力されるオーディオ信号を監視して無音部を検出する無音検出部と、前記無音検出部で無音部を検出すると予め設定された時間だけ無音部を延長する無音延長部と、前記無音延長部を介して入力されたオーディオ信号が書き込まれるとともに、書き込まれた順番で前記オーディオ信号が読み出されるメモリと、前記受信部及び前記メモリを制御する制御部とを有することを特徴とするラジオ受信機により解決する。
【０００９】
本発明のラジオ受信機においては、無音検出部でオーディオ信号を監視しており、オーディオ信号に無音部を検出すると無音延長部において予め設定された時間分だけ無音部を延長する。メモリには無音延長部を介して入力されたオーディオ信号が書き込まれる一方、書き込まれた順番でメモリからオーディオ信号が読み出される。従って、メモリには無音延長部で延長された時間分のオーディオ信号が蓄積される。このようにしてメモリに蓄積されたオーディオ信号を利用して、スピーカーから出力されるオーディオ信号を途切れさせることなく選局（シーク）動作を行うことができる。すなわち、選局動作を行っている間はメモリへのオーディオ信号の書き込みを中止し、メモリに蓄積されているオーディオ信号の読み出しを継続すればよい。
【００１０】
選局動作が終了すると、メモリに蓄積されているオーディオ信号をクリアすることが好ましい。これにより、新しく選局した放送局からの放送を直ぐに聞くことができる。
【００１１】
メモリに蓄積されたオーディオ信号は、選局動作時以外のときに使用してもよい。例えば、メモリに蓄積されたオーディオ信号を、オートプリセット時に使用することができる。この場合、受信部から出力されるオーディオ信号に無音部を検出すると、メモリに蓄積されているオーディオ信号を出力しつつ、受信可能な放送局を探してプリセットメモリにプリセットすればよい。
【００１２】
メモリには、シーク動作等に必要な時間分だけのオーディオ信号を蓄積すればよい。従って、メモリに一定時間分のオーディオ信号が蓄積されているときには、無音延長部で無音部を延長する処理を中止することが好ましい。
【発明を実施するための最良の形態】
【００１３】
以下、本発明の実施形態について、添付の図面を参照して説明する。
【００１４】
図１は本発明の実施形態に係るラジオ受信機の構成を示すブロック図である。なお、図１は本発明をＦＭラジオ放送受信機に適用した例を示している。
【００１５】
本実施形態のラジオ受信機は、制御部１０と、アンテナ１１と、ＲＦ（Radio Frequency ）増幅器１２と、ミキサー１３と、局部発振器１４と、中間周波（ＩＦ）フィルタ１５と、ＤＳＰ（Digital Signal Processor）１６と、アンプ１７と、スピーカー１８と、操作部１９と、表示部２０とにより構成されている。また、ＤＳＰ１６内には、マルチプレクサ２１と、Ａ／Ｄ変換部２２と、無音検出部２３と、無音延長部２４と、メモリ（ＲＡＭ）２５と、Ｄ／Ａ変換部２６とが設けられている。
【００１６】
アンテナ１１で受信されたＦＭ放送局からのＦＭ放送信号は、ＲＦ増幅器１２で増幅された後にミキサー１３に入力される。ミキサー１３では、ＲＦ増幅器１２から入力されたＲＦ信号と、制御部１０により発信周波数が制御される局部発振器１４からの局部発信信号とを混合して、周波数が１０．７ＭＨｚの中間周波（ＩＦ：Intermediate Frequency）信号を出力する。この中間周波信号は、ＩＦフィルタ１５を介してＤＳＰ１６に入力される。
【００１７】
ＤＳＰ１６内では、中間周波信号を検波した後、マルチプレクサ２１によりアナログのステレオオーディオ信号に復調する。Ａ／Ｄ変換部２２は、マルチプレクサ２１からアナログのオーディオ信号を入力し、デジタルのオーディオ信号に変換して出力する。
【００１８】
無音検出部２３はＡ／Ｄ変換部２２から出力されたデジタルのオーディオ信号を監視して、無音部を検出する。ここで、オーディオ信号の無音部とは、オーディオ信号の音量レベルが実質的にゼロとみなすことができる部分が一定時間（例えば０．５秒間）以上続く部分である。無音延長部２４は、無音検出部２３により無音部が検出されると、予め設定された時間（例えば０．２秒間、又は無音部の時間の１０％程度の時間）だけ無音部を延長する。
【００１９】
メモリ２５は、無音延長部２４を介して入力されるデジタルのオーディオ信号を記憶するとともに、記憶した順番でオーディオ信号を読み出して出力する。本実施形態では、メモリ２５へのオーディオ信号の記憶及びメモリ２５からのオーディオ信号の読み出しは、いずれも等倍速で行われる。すなわち、Ａ／Ｄ変換部２２から出力されるオーディオ信号のデータレートと、メモリ２５に記憶されるオーディオ信号のデータレートと、メモリ２５から読み出されるオーディオ信号のデータレートは同じである。
【００２０】
Ｄ／Ａ変換部２６は、メモリ２５から読み出されたデジタルのオーディオ信号をアナログのオーディオ信号に変換する。このオーディオ信号がＤＳＰ１６から出力される。
【００２１】
なお、ＤＳＰ１６には、制御部１０から入力されるパラメータに応じて音量や音質を変更する回路等も設けられているが、ここではそれらの回路の説明を省略する。
【００２２】
操作部１９には受信周波数を変更するためのシークボタン（シークアップボタン及びシークダウンボタン）や、音量を調整するためのボタン等が設けられている。制御部１０はマイクロコンピュータにより構成されており、操作部１９からの信号に基づいてＤＳＰ１６に入力するパラメータの値を変更したり、局部発振器１４の発信周波数を制御したり、ＤＳＰ１６内のメモリ２５の動作を制御する。表示部２０は例えば液晶パネルにより構成されており、制御部１０からの信号に基づいて受信周波数等を表示する。
【００２３】
以下、本実施形態のラジオ受信機のメモリ１５にオーディオ信号を蓄積するときの動作について、図２に示すフローチャートを参照して説明する。この図２は、ＤＳＰ１６内の処理を示すものである。
【００２４】
まず、ステップＳ１１において、マルチプレクサ２１及びＡ／Ｄ変換部２２を介してデジタルオーディオ信号が無音検出部２３に入力されると、ステップＳ１２に移行して、ＤＳＰ１６はメモリ２５内に５秒間分のオーディオ信号が記憶されているか否かを判定する。そして、メモリ２５内に既に５秒間分のオーディオ信号が記憶されていると判定した場合はステップＳ１５に移行し、５秒間分のオーディオ信号が記憶されていないと判定した場合はステップＳ１３に移行する。
【００２５】
ステップＳ１３では、無音検出部２３によりオーディオ信号が無音レベルか否かを判定する。ステップＳ１３において、オーディオ信号が無音レベルでないと判定したときはステップＳ１５に移行し、オーディオ信号が無音レベルであると判定したときはステップＳ１４に移行する。ステップＳ１４では、無音延長部２４により予め設定された時間（例えば、０．２秒間、又は無音部の１０％程度の時間）だけ無音部が延長される。その後、ステップＳ１５に移行する。
【００２６】
ステップＳ１２でメモリ２５に５秒間分のオーディオ信号が既に記憶されていると判定したとき、又はステップＳ１３でオーディオ信号が無音レベルでないと判定したときは、無音延長部２４はオーディオ信号をそのままメモリ２５に伝達する。
【００２７】
ステップＳ１５では、無音延長部２４から送られてきたオーディオ信号をメモリ２５に保存する。その後、ステップＳ１６に移行して、メモリ２５からオーディオ信号が書き込まれたときの順番で読み出され、Ｄ／Ａ変換部２６によりアナログのオーディオ信号に変換されて出力される。Ｄ／Ａ変換部２６から出力されたアナログオーディオ信号はアンプ１７により増幅され、スピーカー１８に供給される。
【００２８】
図３（ａ），（ｂ）は、ＤＳＰ１６の無音延長部２４に入力されるオーディオ信号とメモリ２５から出力されるオーディオ信号とを示す模式図である。メモリ２５に蓄積されているオーディオ信号が５秒間分未満の場合は、図３（ａ）に示すように、オーディオ信号にＸ秒間（但し、Ｘは０．５秒間以上）の無音部があると、無音延長部２４により予め設定された時間α秒間（例えば、０．２秒間、又は無音部の１０％程度の時間）の無音部が延長されて出力される。但し、延長される無音部の時間αは数１００ｍ秒程度であるので、聴感上は無音部が延長されたことは殆ど認識できない。このようにしてα秒間分のオーディオ信号がメモリ２５に蓄積されると、それ以降はメモリ２５から出力されるオーディオ信号はα秒間だけ遅延して出力される。このようにして、メモリ２５には５秒間分のオーディオ信号が蓄積されるまで、無音検出部２３で無音部を検出するたびに数１００ｍ秒間分無音部が延長される。
【００２９】
メモリ２５に５秒間分のオーディオ信号が既に蓄積されていると、無音検出部２３で無音部を検出しても無音延長部２４は無音部の延長処理を行わず、図３（ｂ）に示すように、ＤＳＰ１６に入力されるオーディオ信号は５秒間分だけ遅延されて出力される。
【００３０】
図４は、上述した本実施形態のラジオ受信機の選局（シーク）時の動作を示すフローチャートである。
【００３１】
ステップＳ２１において、メモリ２５にオーディオ信号が蓄積されている状態でユーザが操作部１９のシークボタンを押すと、シーク動作が開始される。そして、ステップＳ２２に移行し、制御部１０はメモリ２５へのオーディオ信号の書き込みを中止するとともに、局部発振器１４を制御して、受信周波数を所定の周波数づつアップ又はダウンする。
【００３２】
次に、ステップＳ２３に移行し、メモリ２５からオーディオ信号を読み出して、アンプ１７に出力する。そして、ステップＳ２４に移行して、シーク動作が終了か否か、すなわち、次のＦＭ放送局からの放送信号を受信したか否かを判定する。シーク動作が終了していないと判定した場合はステップＳ２３に戻る。
【００３３】
一方、ステップＳ２４でシーク動作が終了したと判定した場合は、ステップＳ２５に移行して、制御部１０はメモリ２５をクリアする。その後、図２に示す処理が開始される。
【００３４】
このように、本実施形態では、シーク中もメモリ２５に蓄積されているオーディオ信号が出力され、新たな放送局の放送信号を受信したときにはメモリ２５内をクリアして新たなＦＭ放送局から受信した放送（オーディオ信号）を出力するので、１チューナ構成であるのにもかかわらず、２チューナ構成のラジオ受信機と同様に、スピーカーから出力されるオーディオ信号が途切れることなく受信周波数の変更が行われる。
【００３５】
また、本実施形態では、無音部を検出すると予め設定された時間分だけ無音部を延長する処理を繰り返すことによりメモリ２５内に一定時間分のオーディオ信号を蓄積するので、音声や音楽の音程が変化することなく、違和感を生じさせることはない。更に、本実施形態では、１つのチューナで上述の動作を行うので、２チューナ構成のラジオ受信機に比べて製品コストを低減できる。
【００３６】
なお、上記実施形態は本発明をＦＭラジオ放送受信機に適用した場合について説明したが、本発明はＡＭラジオ放送やデジタルラジオ放送を受信するラジオ受信機にも適用できることは勿論である。
【００３７】
また、上記実施形態ではメモリ２５に蓄積されたオーディオ信号を使用してシーク時にスピーカー１８から出力されるオーディオ信号が途切れないようにした場合について説明したが、シーク時以外のときにメモリ２５に蓄積したオーディオ信号を使用してもよい。例えば、ヨーロッパで普及しているＲＤＳ（Radio Data System ）ラジオ受信機では、ＡＦ（Alternative Frequencies ）チェックの際に音声ミュートを行ってＡＦリストの放送局の電波を受信して受信状態を調べる。このＡＦチェックのときに、メモリ２５に蓄積されたオーディオ信号を出力することにより、あたかも２チューナ構成のラジオ受信機と同様に、スピーカーから出力されるオーディオ信号が途切れることなく、受信可能な放送局のチェックを行うことができる。
【００３８】
更に、メモリ２５に記憶されているオーディオ信号は、放送局のオートプリセットのときにも使用することができる。この場合は、無音検出部２３で無音部を検出したときに、メモリ２５に蓄積されているオーディオ信号を出力しつつ受信可能な放送局を探して、プリセットメモリに受信可能な放送局をプリセットする。
【００３９】
更にまた、本実施形態においてはメモリ２５内に記憶されているオーディオ信号に対し、ノイズ除去処理を行うことができる。この場合、ノイズの発生と同時にノイズ処理を行う必要がなく、よりきめ細かくノイズ成分の除去が可能になる。
【００４０】
更にまた、ラジオから他のオーディオ装置（例えばＣＤ再生装置）に切替える際に、他のオーディオ装置からオーディオ信号が出力可能になるまでの間、メモリ２５に蓄積されているオーディオ信号を出力するようにしてもよい。
【図面の簡単な説明】
【００４１】
【図１】図１は本発明の実施形態に係るラジオ受信機の構成を示すブロック図である。
【図２】図２は、実施形態のラジオ受信機のメモリにオーディオ信号を蓄積する時の動作を示すフローチャートである。
【図３】図３（ａ），（ｂ）は、いずれもＤＳＰの無音延長部に入力されるオーディオ信号とメモリから出力されるオーディオ信号とを示す模式図である。
【図４】図４は、実施形態のラジオ受信機の選局（シーク）時の動作を示すフローチャートである。
【符号の説明】
【００４２】
１０…制御部、
１１…アンテナ、
１２…ＲＦ増幅器、
１３…ミキサー、
１４…局部発振器、
１５…ＩＦフィルタ、
１６…ＤＳＰ、
１７…アンプ、
１８…スピーカー、
１９…操作部、
２０…表示部、
２１…マルチプレクサ、
２２…Ａ／Ｄ変換部、
２３…無音検出部、
２４…無音延長部、
２５…メモリ、
２６…Ｄ／Ａ変換部。
【図１】
2005318082.tif 000003
【図２】
2005318082.tif 000004
【図３】
2005318082.tif 000005
【図４】
2005318082.tif 000006